(57)【要約】【課題】感度を向上できるようにする。【解決手段】加速度センサ１０は、第１圧電振動片１６を備えた発振部１２と、前記発振部の出力信号の位相を９０°変化させて出力する９０°移相部２０と、前記９０°移相部２０の出力側に設けられた第２圧電振動片２４と抵抗とから成る直列回路を有する移相回路部２２と、前記移相回路部２２の出力信号と前記発振部１２の出力信号とに基づいて、両者の位相差に応じた信号を出力する移相変化出力部４５とを有する。第２圧電振動片２４に直列回路を成す抵抗を有する構成。【選択図】図１
2009186285.tif 000002
【特許請求の範囲】
【請求項１】
第１圧電振動片と、前記第１圧電振動片を発振させる発振回路とを備え、前記発振回路の発振信号を出力する発振部と、
前記発振部の出力信号の位相を所与の角度変化させて出力する移相部と、
前記移相部の出力側に設けられ、第２圧電振動片と第１の抵抗とからなる直列回路と、該直列回路の出力端と定電位回路との間に接続した第２の抵抗とを備えた移相回路部と、
前記移相回路部の出力信号と前記発振部の出力信号とを乗算する乗算器と、
前記乗算器の出力が入力され、前記移相回路の入出力信号の移相角度の変化に対応した値を出力する移相変化出力部と、を有し、
前記第１圧電振動片と前記第２圧電振動片の少なくともいずれか一方が加速度センサ素子であることを特徴とする加速度センサ。
【請求項２】
第１圧電振動片と、前記第１圧電振動片を発振させる発振回路とを備え、前記発振回路の発振信号を出力する発振部と、
前記発振部の出力信号の位相を所与の角度変化させて出力する移相部と、
前記発振部の出力側に設けられ、第２圧電振動片と第１の抵抗とからなる直列回路と、該直列回路の出力端と定電位回路との間に接続した第２の抵抗とを備えた移相回路部と、
前記移相部の出力信号と前記位相回路部の出力信号とを乗算する乗算器と、
前記乗算器の出力が入力され、前記移相回路の入出力信号の移相角度の変化に対応した値を出力する移相変化出力部と、を有し、
前記第１圧電振動片と前記第２圧電振動片の少なくともいずれか一方が加速度センサ素子であることを特徴とする加速度センサ。
【請求項３】
請求項１または２に記載の加速度センサにおいて、
前記第１圧電振動片と前記第２圧電振動片とが屈曲振動する振動腕を有するものであり、
前記第１圧電振動片の前記振動腕の軸線方向と、前記第２圧電振動片の前記振動腕の軸線方向とが互いに逆になるように、前記第１圧電振動片と前記第２圧電振動片とが配置されていることを特徴とする加速度センサ。
【請求項４】
請求項１に記載の加速度センサにおいて、
前記加速度センサ素子は、圧電体からなる音叉型振動片であることを特徴とする加速度センサ。
【請求項５】
請求項１ないし４のいずれかに記載の加速度センサにおいて、
前記加速度センサ素子は双音叉振動片であることを特徴とする加速度センサ。
【発明の詳細な説明】
【技術分野】
【０００１】
本発明は、加速度センサに係り、特に加速度による振動数の変化を利用して加速度の大きさを検出する振動式加速度センサに関する。
【背景技術】
【０００２】
加速度センサには、振動体の共振現象を利用した振動式のものがある。この振動式の加速度センサは、振動体の共振周波数を検出することで加速度が得られるため、検出回路のデジタル化、小型化を容易に図ることができる。そして、特許文献１には、支持体とマス部との間に細い接続部を介して振動体を配置した振動式の加速度センサが提案されている。この特許文献１に記載の加速度センサは、シリコン基板を用いてマイクロマシニング技術を利用して製造することができる。
【特許文献１】特開平９−２５７８３０号公報
【発明の開示】
【発明が解決しようとする課題】
【０００３】
しかし、特許文献１に記載の加速度センサは、半導体を用いているので、振動体を励振するために特別な外力を必要とする。また、特許文献１に記載の加速度センサは、半導体で形成しているために周波数温度特性が悪く、別途温度補償をする回路等が必要になる。さらに、特許文献１に記載の加速度センサは、ある程度強い加速度に基づいた応力が作用しないと、加速度を検出することができず、高感度のセンサとすることが困難である。
【０００４】
本発明は、従来技術の欠点を解消するためになされたもので、感度を向上できるようにすることを目的としている。
また、本発明は、温度特性を改善することを目的としている。
また、本発明は加速度の入力に対して線形性の高い出力が得られるセンサの実現も目的とする。
【課題を解決するための手段】
【０００５】
発明者らは、感度の優れた加速度センサを得るために鋭意研究し、実験を行なった。そして、水晶からなる音叉型振動片の長手方向（振動腕の軸方向）に加速度を印加すると、図６に示したように、音叉型振動片の共振周波数が印加された加速度に比例して変化することを見出した。図６は、横軸が重力加速度Ｇ（＝９．８０６６５ｍ／ｓ2）を単位とした加速度であり、縦軸が音叉振動片の軸方向に加速度が印加されたときの共振周波数の、加速度が印加されていないときの共振周波数に対する周波数偏差をｐｐｍで示している。なお、加速度が印加されていないときの音叉型振動片の共振周波数は、４０ｋＨｚである。そして、プラス（＋）の加速度とは、音叉型振動片の振動腕の基端側から先端側に向けて加速度が作用している状態であり、マイナス（−）の加速度とは振動腕の先端側から基端側に向けて加速度が作用している状態を示す。
【０００６】
本発明は、上記の知見に基づいてなされたものである。すなわち、本発明に係る加速度センサは、第１圧電振動片と、前記第１圧電振動片を発振させる発振回路とを備え、前記発振回路の発振信号を出力する発振部と、前記発振部の出力信号の位相を所与の角度変化させて出力する移相部と、前記移相部の出力側に設けられ、第２圧電振動片と第１の抵抗とからなる直列回路と、該直列回路の出力端と定電位回路との間に接続した第２の抵抗とを備えた移相回路部と、前記移相回路部の出力信号と前記発振部の出力信号とを乗算する乗算器と、前記乗算器の出力が入力され、前記移相回路の入出力信号の移相角度の変化に対応した値を出力する移相変化出力部と、を有し、前記第１圧電振動片と前記第２圧電振動片の少なくともいずれか一方が加速度センサ素子であることを特徴とする。
【０００７】
上記のようになっている本発明は、加速度が作用すると、圧電振動片の共振周波数が変化し、発振部の出力信号の発振周波数が第２圧電振動片の共振周波数と異なってくる。このため、発振部の出力信号と移相回路部の出力信号との位相差が位相部の位相量からずれる。したがって、この位相部の位相量からのずれを検出することにより作用する加速度の大きさを知ることができる。また、振動体として圧電振動片を用いているため、励振が容易であり、わずかな加速度による応力の変化によって圧電振動片の共振周波数が変化するため、感度を向上することができる。さらに、圧電振動片を構成する圧電体は、一般に半導体に比較して周波数温度特性が優れており、温度特性を改善することができる。しかも、発振部の出力信号と移相回路部の出力信号との位相差を検出するようにしているため、検出回路の簡素化、小型化を図ることができる。
【０００８】
また、第１圧電振動片と、前記第１圧電振動片を発振させる発振回路とを備え、前記発振回路の発振信号を出力する発振部と、前記発振部の出力信号の位相を所与の角度変化させて出力する移相部と、前記発振部の出力側に設けられ、第２圧電振動片と第１の抵抗とからなる直列回路と、該直列回路の出力端と定電位回路との間に接続した第２の抵抗とを備えた移相回路部と、前記移相部の出力信号と前記位相回路部の出力信号とを乗算する乗算器と、前記乗算器の出力が入力され、前記移相回路の入出力信号の移相角度の変化に対応した値を出力する移相変化出力部と、を有し、前記第１圧電振動片と前記第２圧電振動片の少なくともいずれか一方が加速度センサ素子とする構成をとっても良い。
このような構成でも、加速度に応じて移相部の出力と、移相回路部の出力との位相が加速度に応じて変化するから、同様に加速度を検出することができる。
【０００９】
第１圧電振動片と前記第２圧電振動片とが屈曲振動する振動腕を有するものであり、第１圧電振動片の振動腕の軸線方向と、第２圧電振動片の振動腕の軸線方向とが互いに逆になるように、第１圧電振動片と第２圧電振動片とが配置されていてもよい。これにより、移相回路部における位相変化を、発振部の出力信号のみによる位相の変化の約２倍にすることができる。  
【００１０】
加速度センサ素子とは、圧電体からなる音叉型振動片であってよい。音叉型振動片は、時計用などに広く用いられており、安価に製造することができる。また、加速度センサ素子とは、圧電体からなる双音叉振動片を用いることができる。圧電振動片を双音叉振動片にすると、より高感度、高性能な加速度センサを得ることができる。
【発明を実施するための最良の形態】
【００１１】
本発明に係る加速度センサの好ましい実施の形態を、添付図面に従って詳細に説明する。
（センサ素子）
図４に示すように、第２圧電振動片２４は、第１圧電振動片１６とともに、加速度センサ素子３０を構成している。この加速度センサ素子３０は、第１圧電振動片１６と第２圧電振動片２４とが同一のパッケージ３２内に並列に実装してある。パッケージ３２は、パッケージ本体がセラミックなどから箱型に形成され、上面に図示しない蓋体が接合してあって、パッケージ本体に収容した第１圧電振動片１６と第２圧電振動片２４とを気密に封止している。
【００１２】
第１圧電振動片１６は、屈曲振動する振動腕３６ａおよび３６ｂを備えている。振動腕３６ａおよび３６ｂは、基端部３４から互いに平行に延出されている。振動腕３６ａおよび３６ｂは、発振回路１４と電気的に接続された図示しない励振電極を備える。そして、第２圧電振動片２４は、屈曲振動する振動腕４０ａおよび４０ｂを備えている。振動腕４０ａおよび４０ｂは、基端部３８から互いに平行に延出されている。振動腕４０ａおよび４０ｂは、移相回路部（フィルタ回路部）２２の入力端子または出力端子と電気的に接続された図示しない励振電極を備える。第１圧電振動片１６と第２圧電振動片２４とは、例えばパッケージ３２の底面などの同一平面に実装してある。そして、第１圧電振動片１６と第２圧電振動片２４とは、実施形態の場合、逆向きに実装してある。すなわち、第１圧電振動片１６は、固着部となる基端部３４が図４において振動腕３６ａおよび振動腕３６ｂの左側に配置されている。これに対して、第２圧電振動片２４は、固着部となる基端部３８が振動腕４０ａおよび振動腕４０ｂの右側となっている。振動腕３６ａおよび３６ｂの軸線方向３７ａおよび３７ｂが、振動腕４０ａおよび振動腕４０ｂの軸線方向４１ａ、４１ｂと逆向きになっている。なお、振動腕の軸線方向とは、基端部から振動腕が延出する方向である。また、第１圧電振動片１６と第２圧電振動片２４とは、基端部３４、３８に形成した一対の接続端子部（図示せず）が導電性接着剤４２を介して、パッケージ３２に設けた図示しない実装端子に固着してある。
【００１３】
このようになっている加速度センサ素子３０は、例えば図４の矢印４４のように加速度が図４の右方向から左方向に向けて作用した場合、すなわち印加される加速度の方向が第１圧電振動片１６の振動腕の軸線方向３７ａおよび３７ｂと逆方向であって第２圧電振動片２４の振動腕の軸線方向４１ａおよび４１ｂと同じ方向である場合、第１圧電振動片１６は、加速度が振動腕３６の基端側から先端側に向けて作用し、振動腕３６に引っ張り応力が作用する。このため、第１圧電振動片１６の共振周波数は、加速度が作用していないときの共振周波数ｆ０に対して高周波数側に偏倚し、共振周波数がｆ０＋Δｆになる。これに対して、第２圧電振動片２４は、振動腕４０の先端側から基端側に向けて加速度が作用し、振動腕４０に圧縮の応力が作用して、共振周波数が加速度の作用していないときの共振周波数ｆ０に対して低周波数側に偏倚し、共振周波数がｆ０−Δｆになる。すなわち、Δｆは加速度に対応した値となる。
【００１４】
なお、引っ張り応力および圧縮応力によって、見かけ上の弾性定数ｃが変化し、数式１のとおり、共振周波数ｆが変化することが知られている。
【数１】
2009186285.tif 000003
ここに、Ｗは圧電振動片の腕幅、ｌは振動片の腕長さ、ρは密度、ｃは見かけ上の弾性定数、Ｋ0は定数である。
【００１５】
図１は、本発明の実施の形態に係る加速度センサの説明図である。図１において、加速度センサ１０は、発振部１２を備えている。発振部１２は、発振回路１４と第１圧電振動片１６とから構成してある。発振回路１４は、第１圧電振動片１６を駆動し、第１圧電振動片１６の共振周波数の周波数を有する発振信号を出力する。そして、第１圧電振動片１６は、実施形態の場合、圧電材料である水晶板によって音叉型に形成してある。もちろん、圧電材料は、水晶以外のタンタル酸リチウム（ＬｉＴａＯ3）やニオブ酸リチウム（ＬｉＮｂＯ3）、四ケイ酸リチウム（Ｌｉ2Ｂ4Ｏ7）などであってもよい。
【００１６】
発振部１２の出力信号は、波形整形部１８と９０°移相部２０とに入力する。波形整形部１８は、発振部１２の出力信号を矩形波に波形整形して出力する。一方、９０°移相部２０は、発振部１２の出力した信号の一部が入力し、この信号の位相を９０°変えて（回転させて）出力する。
【００１７】
９０°移相部２０の出力側には、移相回路部２２が設けてある。この移相回路部２２は、実施形態の場合、抵抗Ｒ１（第１の抵抗）とＲ２（第２の抵抗）及び第２圧電振動片２４とによって構成してある。すなわち、第２圧電振動片２４の入力側の端子は、抵抗Ｒ１を介して９０°移相部２０の出力端子に接続してある。また、第２圧電振動片２４の出力端子は、抵抗Ｒ２を介して定電位回路であるグランドに接地してあるとともに、移相回路部２２の出力側に設けた波形整形部２８に接続してある。
そして、波形整形部２８の出力端子と波形整形部１８の入力端子とを乗算器４６の入力端子に接続し、乗算器４８の出力を位相変化出力部４５の入力に接続する。
位相変化出力部４５は、乗算器４６の出力信号を受けるローパスフィルタ４８の出力端子を微分回路４９の入力端子に接続した構成であり、微分回路４９の出力端子を加速度センサ１０の出力端子としたものである。
【００１８】
尚、抵抗Ｒ１は第２圧電振動片２４の波形整形部２８部入力側に接続したものでも構わなく、更には、第２圧電振動片２４の両端にそれぞれ抵抗Ｒ１が存在しても良い。
即ち、移相回路部２２は、第２圧電振動片２４の入力側端子を移相部２０の出力端子に接続すると共に、第２の圧電振動片２４の出力端子が抵抗Ｒ１を介して波形整形部２８の入力端子に接続されると共に、抵抗Ｒ１と波形整形部２８の入力端子との接続点が抵抗Ｒ２を介して接地された構成であってもよい。
または、移相回路部２２は、第２圧電振動片２４の入力側端子が抵抗Ｒ３を介して移相部２０の出力端子に接続されると共に、第２の圧電振動片２４の出力端子が第１の抵抗Ｒ３を介して波形整形部２８の入力端子に接続されると共に、第１の抵抗Ｒ１と波形整形部２８の入力端子との接続点が抵抗Ｒ２を介して接地された構成であってもよい。
【００１９】
（一定の加速度状態における移相回路部の移相角度）
第２圧電振動片２４は、水晶板からなる音叉型振動片であって、加速度が印加されない状態での共振周波数ｆ０が発振部１２の加速度が印加されない状態での発振周波数と同じにしてある。なお、実施形態の場合、第２圧電振動片２４の加速度が印加されない状態での共振周波数ｆ０は、第１圧電振動片１６の共振周波数と同じにしてある。そして、共振周波数および入力信号の周波数が安定した状態における移相回路部２２の入力信号の周波数に対する移相特性、すなわち周波数対移相特性を、図２に示す。図２の横軸は移相回路部２２に入力する信号の周波数ｆであり、縦軸が入力した信号に対する出力信号の移相角度（位相変化）を度（°）で表している。
【００２０】
上記第２圧電振動片２４は、実施形態の場合、第１圧電振動片１６と同様に圧電材料である水晶板によって音叉型に形成してあるが、圧電材料は、水晶以外のタンタル酸リチウム（ＬｉＴａＯ3）やニオブ酸リチウム（ＬｉＮｂＯ3）、四ケイ酸リチウム（Ｌｉ2Ｂ4Ｏ7）などであってもよい。この場合、望ましくは第１圧電振動片１６と第２圧電振動片２４とは同質材料で作製することが望ましい。温度特性を合わせるためである。
【００２１】
加速度が印加されていない場合、移相回路部２２は（イ）の特性を示す。すなわち、移相回路部２２の周波数対移相特性は、加速度が印加されていない状態の第２圧電振動片２４の共振周波数ｆ０を中心に点対称になっている。ここで、周波数がｆ０の信号が移相回路部２２に入力された場合、移相角度は０°となり、出力信号と入力信号の位相が一致する。
【００２２】
加速度が図４の矢印４７の方向に作用した場合、移相回路部２２は（ハ）の特性を示す。すなわち、（イ）の特性を＋Δｆシフトさせた特性になっている。ここで、加速度が図４の矢印４７の方向に作用することによって、発振部１２の第１圧電振動片１６の共振周波数は低周波数側に偏倚し、発振部１２の出力信号の周波数はｆ０−Δｆになる。よって、移相回路部２２にｆ０−Δｆの信号が入力され、移相角度はαとなり、出力信号が入力信号より位相が進む。なお、加速度が印加されても移相回路部２２の周波数対移相特性が変化しない場合に比べて、約２倍の移相角度となる。
【００２３】
加速度が図４の矢印４４の方向に作用した場合、移相回路部２２は、（ロ）の特性を示す。すなわち、（イ）の特性を−Δｆシフトさせた特性になっている。ここで、加速度が図４の矢印４４の方向に作用することによって、発振部１２の第１圧電振動片１６の共振周波数は高周波数側に偏倚し、発振部１２の出力信号の周波数はｆ０＋Δｆになる。よって、移相回路部２２にｆ０＋Δｆの信号が入力され、移相角度は−αとなり、出力信号が入力信号より位相が遅れる。なお、加速度が印加されても移相回路部２２の周波数対移相特性が変化しない場合に比べて、約２倍の移相角度となる。
【００２４】
安定状態においては、移相角度αに対応する共振周波数の変化Δｆを求め、共振周波数の変化Δｆに対応する加速度を求めることができる。しかし、加速度が変化してから移相角度がαに達して安定状態になるまでは、加速度が求まらず、応答性が悪い。また、移相角度が安定するまで加速度が変化した場合は、加速度が求められない。
【００２５】
（加速度が変化した場合の圧電振動片の移相角度）
初期状態において、第２圧電振動片２４の共振周波数および移相回路部２２の入力周波数がともにｆ０であった状態から、第２圧電振動片２４の共振周波数がｆ０−Δｆに変化し、入力信号の周波数がｆ０＋Δｆに変化した場合、移相角度は、図３の（ニ）のように推移する。すなわち、移相角度は、０°から減少し、−αで飽和する。
【００２６】
初期状態において、第２圧電振動片２４の共振周波数および移相回路部２２の入力周波数がともにｆ０であった状態から、第２圧電振動片２４の共振周波数がｆ０＋Δｆに変化し、入力信号の周波数がｆ０−Δｆに変化した場合、移相角度は、図３の（ホ）のように推移する。すなわち、移相角度は、０°から増加し、αで飽和する。
【００２７】
加速度が加わり移相角度が変化しはじめにおいては、移相角度は時間に比例して変化する。したがって、移相角度が変化しはじめにおいて、移相角度を時間で微分した値ｄθ／ｄｔは、共振周波数の変化および入力信号の周波数の変化Δｆに対応した値となる。また、上述のとおり、周波数の変化Δｆは加速度に対応した値であるから、移相角度を時間で微分した値ｄθ／ｄｔは、加速度に対応した値となる。したがって、移相角度Δθは、加速度を時間で積分した値に対応する。
移相角度を時間で微分した値ｄθ／ｄｔにより加速度を求めることで、移相角度が飽和する前の加速度を求めることができる。
【００２８】
移相回路部２２の出力側に設けた波形整形部２８は、移相回路部２２の出力信号を波形整形し、矩形波を出力する。波形整形部２８の出力した矩形波は、波形整形部１８の出力した矩形波とともに乗算器４６に入力する。乗算器４６は、実施形態の場合、排他的論理和回路すなわちＥｘ．ＯＲ（エクスクルーシブ・オア）ゲートから構成してある。したがって、乗算器４６は、波形整形部１８、２８の出力信号がいずれか一方が「１」であって、いずれか他方が「０」のときに「１」を出力する。この乗算器４６の出力側に設けた移相変化出力部４５は、ローパスフィルタ（積分回路）４８と微分回路４９とを有する。ローパスフィルタ４８は、乗算器４６の出力信号の平均値を出力する。微分回路４９は、ローパスフィルタ４８の出力が入力され微分値を出力することで、ローパスフィルタ４８が出力する値の変化を出力する。なお、ローパスフィルタ４８と微分回路４９との接続順を入れ替え、乗算器４６の出力を微分回路に入力し、微分回路の出力をローパスフィルタに入力する構成としてもよい。
【００２９】
上記のごとくなっている実施形態に係る加速度センサ１０の作用は、次のとおりである。加速度センサ素子３０に加速度が作用していない（印加されていない）状態で安定している場合、発振部１２の第１圧電振動片１６は、発振回路１４によって共振周波数ｆ０で励振されている。したがって、発振部１２は、図５（Ａ）に示した周波数ｆ０の信号を出力する。この発振部１２の出力信号は、波形整形部１８に入力し、波形整形部１８によって図５の（Ｂ）に示した矩形波にされ、乗算器４６に入力される。
【００３０】
発振部１２の出力信号の一部は、分割されて９０°移相部２０に入力する。９０°移相部２０は、図５（Ｃ）に示したように、例えば発振部１２の出力信号の位相を９０°遅らせて移相回路部２２に出力する。
【００３１】
加速度センサ素子３０に加速度が作用していない状態で安定しているため、移相回路部２２の第２圧電振動片２４の共振周波数は、発振部１２の第１圧電振動片１６の共振周波数ｆ０と同じである。このため、移相回路部２２の周波数対移相特性は図２の（イ）で示したようになっている。したがって、移相回路部２２は、９０°移相部２０の出力信号の周波数がｆ０であるため、図５（Ｄ）に示したように、入力した信号の位相を変えることなくそのまま出力する。移相回路部２２の出力信号は、波形整形部２８に入力する。波形整形部２８は、移相回路部２２の出力信号を波形整形して図５（Ｅ）の実線に示した矩形波を乗算器４６に入力する。
【００３２】
乗算器４６は、前記したようにＥｘ．ＯＲによって構成してあり、波形整形部１８の出力した矩形波と、波形整形部２８の出力した矩形波との排他的論理和を求めて出力する。
すなわち、乗算器４６は、図５（Ｂ）の矩形波と、図５（Ｅ）の実線の矩形波との排他的論理和である図５（Ｆ）の実線の信号を出力する。この図５（Ｆ）の実線の矩形波信号は、ローパスフィルタ４８に入力する。ローパスフィルタ４８は、入力した矩形波信号の時間についての積分値を求めて出力する。加速度センサ素子３０に加速度が作用していない場合、乗算器４６が出力する矩形波信号（矩形波パルス）のデューティ比が５０％であるので、ローパスフィルタ４８は、図５（Ｆ）の実線の矩形波信号についての平均値を出力する。例えば、図５（Ｆ）に示した乗算器４６の出力パルスにおいて、「０」のときの電圧が０Ｖであり、「１」のときの電圧が５Ｖであるとすると、ローパスフィルタ４８は、加速度が作用していない場合に、平均電圧ｖ０＝２．５Ｖを出力する。
【００３３】
次に、加速度センサ素子３０に図４の矢印４４の方向に加速度が作用したとする。このため、発振部１２の第１圧電振動片１６の振動腕３６ａおよび３６ｂには、引張応力が作用し、共振周波数がｆ０からｆ０＋Δｆに変化する。一方、移相回路部２２の第２圧電振動片２４の振動腕４０には、加速度による圧縮応力が作用し、共振周波数がｆ０からｆ０−Δｆに変化する。このため、移相回路部２２の周波数対移相特性が図２の（ロ）に示したようになる。したがって、移相回路部２２は、９０°移相部２０からｆ０＋Δｆの信号が入力した場合、出力信号が入力信号に比べて位相が遅れ、移相角度が図３の−αに達したところで安定する。したがって、移相回路部２２の出力信号を波形整形する波形整形部２８は、図５（Ｅ）の破線βに示した矩形波を出力する。このため、波形整形部１８、２８の出力する矩形波が入力する乗算器４６は、図５（Ｆ）の破線に示したデューティ比が５０％より大きな矩形信号（矩形パルス）γをローパスフィルタ４８に入力する。ローパスフィルタ４８は、入力する矩形波信号γの平均値を求め、ｖ０より大きな電圧信号を出力する。すなわち、ローパスフィルタ４８は、発振部１２が出力した信号と、移相回路部２２が出力した信号との位相差の９０°からのずれ量に応じた信号を出力する。なお、加速度センサ素子３０に作用する加速度が図４の矢印４４と反対方向の矢印４７の方向である場合、乗算器４６は、デューティ比が５０％より小さな矩形パルスを出力する。したがって、ローパスフィルタ４８は、ｖ０より小さな電圧信号を出力する。
【００３４】
微分回路４９は、ローパスフィルタ４８が出力する電圧が入力され、時間で微分した値が出力される。すなわち、移相回路部２２が出力した信号との位相差の９０°からのずれ量に応じた値の変化を出力する。また、ずれ量の変化は、移相角度が変化しはじめにおいて、加速度に対応するため、微分回路４９の出力によって加速度を求めることができる。
なお、図７は抵抗Ｒ１による移相回路部２２の周波数対移相特性の調整を説明するためのものである。同図に描かれた点線で示す周波数対移相特性（へ）は、位相回路部に抵抗Ｒ１が無い（Ｒ１＝０Ω）の場合、実線で示す周波数対移相特性（ト）は、本発明で使用した移相回路部（Ｒ１≠０Ω）の場合の特性を示す。
本発明に於いて抵抗Ｒ１は、移相回路部２２のＱ値を調整する機能をもつ。
即ち、この抵抗Ｒ１の値を調整することで、この抵抗Ｒ１が存在しない構成の移相回路部のＱ値と比較して移相回路部２２のＱ値を小さい範囲にて設定することができるので、例えば抵抗Ｒ１の抵抗値を大きく設定することで移相回路部２２のＱ値を所望の値に下げて図７に示す周波数対移相特性（へ）から周波数対移相特性（ト）の状態へと設定することができる。
そして、このように周波数対移相特性を調整すると周波数対移相特性の感度量（周波数変化量に対する移相角度の変化量の比率）は小さくなるが、感度量が直線的に変化する周波数範囲が広がる。
従って、加速度センサ１０は、広い範囲の加速度の変化範囲を検出することができるので、加速度センサ素子として加速度の変化に対して検知能力が高い双音叉振動子を使用した場合の加速度センサにおいて特に有効である。
【００３５】
また、抵抗Ｒ１を集積回路にて構成した可変抵抗回路としてもよい。
この場合、可変抵抗の値をデータ信号により調整すれば加速度センサ１０の個体間の加速度検出能力（検出感度特性）のバラツキを抑えて性能が均一な加速度センサ１０を大量に安く提供することができる。
【００３６】
なお、前記の実施形態は、本発明の一態様であって、前記実施形態に限定されない。例えば、前記実施形態においては、第１圧電振動片１６と第２圧電振動片２４が音叉型圧電振動片である場合について説明したが、これらの圧電振動片は、双音叉圧電振動片であってもよい。双音叉圧電振動片を用いることによって、より高感度、高精度の加速度センサを得ることができる。その為、第１の圧電振動片１６と第２の圧電指導片２４の何れか一方のみを加速度センサ素子３０としても高感度の加速度センサを得ることが可能である。この場合、例えば２つの加速度センサ素子３０を使用した上述の構成と比較して、加速度センサの感度特性バラツキ要因となる加速度センサ素子３０の使用数が少ない分、加速度センサの個体間の感度特性等の電気的特性のバラツキを抑えることができる点で有利である。また、前記実施形態においては、第１圧電振動片１６と第２圧電振動片２４とを同一のパッケージ３２に収容した場合について説明したが、これらを別々のパッケージに収容してもよい。さらに、前記実施形態においては、第１圧電振動片１６と、第２圧電振動片２４とをパッケージ３２の同一平面内に配置した場合について説明したが、これらを上下に配置してもよい。また、パッケージ３２内に検出回路を圧電振動片１６、２４とともに収容して加速度センサとしてもよい。
【００３７】
図８は、本発明の他の実施形態に係る加速度センサの説明図である。図８において、加速度センサ１０は、発振部１２を備えている。発振部１２は、発振回路１４と第１圧電振動片１６とから構成してある。発振回路１４は、第１圧電振動片１６を駆動し、第１圧電振動片１６の共振周波数の周波数を有する発振信号を出力する。そして、第１圧電振動片１６は、実施形態の場合においても、圧電材料である水晶板によって音叉型に形成してある。もちろん、圧電材料は、水晶以外のタンタル酸リチウム（ＬｉＴａＯ3）やニオブ酸リチウム（ＬｉＮｂＯ3）、四ケイ酸リチウム（Ｌｉ2Ｂ4Ｏ7）などであってもよい。
【００３８】
本実施形態が図１に示す実施形態と異なる点は、発振部１２の出力信号は、９０°移相部２０と移相回路部２２とに入力するよう構成した所と、波形整形部１８が移相回路部２２の出力信号を矩形波に波形整形して乗算器４６へ供給する一方、波形整形部２８が９０°移相部２０の出力信号を矩形波に波形整形して乗算器４６へ供給するよう構成した所にある。
【００３９】
本実施形態の場合もこの移相回路部２２は、抵抗Ｒ１（第１の抵抗）とＲ２（第２の抵抗）及び第２圧電振動片２４とによって構成してある。
すなわち、第２圧電振動片２４の入力側の端子は、抵抗Ｒ１を介して発振部１２の出力端子に接続してある。また、第２圧電振動片２４の出力端子は、抵抗Ｒ２を介して定電位回路であるグランドに接地してあるとともに、波形整形部１８の出力端子に接続してある。
尚、抵抗Ｒ１は第２圧電振動片２４の波形整形部１８部入力側に接続したものでも構わなく、更には、第２圧電振動片２４の両端にそれぞれ抵抗Ｒ１が存在しても良い。
即ち、移相回路部２２は、第２圧電振動片２４の入力側端子を発振部１２の出力端子に接続すると共に、第２の圧電振動片２４の出力端子が抵抗Ｒ１を介して波形整形部１８の入力端子に接続した構成であってもよい。
または、移相回路部２２は、第２圧電振動片２４の入力側端子が抵抗Ｒ１を介して発振部１２の出力端子に接続されると共に、第２の圧電振動片２４の出力端子が他の抵抗Ｒ１を介して波形整形部１８の入力端子に接続した構成であってもよい。
そして、波形整形部２８の出力端子と波形整形部１８の入力端子とを乗算器４６の入力端子に接続し、乗算器４８の出力を位相変化出力部４５の入力に接続する。
位相変化出力部４５は、乗算器４６の出力信号を受けるローパスフィルタ４８の出力端子を微分回路４９の入力端子に接続した構成であり、微分回路４９の出力端子を加速度センサ１０の出力端子としたものである。
尚、図１、図８に示す実施形態共に、移相回路部２２の入力端とグランドとの間に抵抗を接続した回路構成としても構わない。
【図面の簡単な説明】
【００４０】
【図１】本発明の実施の形態に係る加速度センサの説明図である。
【図２】実施の形態に係る移相回路部の周波数対移相特性を示すグラフである。
【図３】実施の形態に係る移相回路部の移相角度の推移を示すグラフである。
【図４】実施の形態に係る加速度センサ素子の説明図である。
【図５】実施の形態に係る加速度センサの作用を説明するタイムチャートである。
【図６】実施の形態に係る圧電振動片の加速度と共振周波数との関係を示す図である。
【図７】抵抗Ｒ１の違いによる移相回路部の周波数対移相特性の違いを示すグラフである。
【図８】他の実施形態に係る加速度センサの説明図である。
【符号の説明】
【００４１】
１０………加速度センサ、１２………発振部、１６………第１圧電振動片、１８、２８………波形整形部、２０………９０°移相部、２２………移相回路部、２４………第２圧電振動片、３０………加速度センサ素子、３４、３８………基端部、３６ａ、３６ｂ、４０ａ、４０ｂ………振動腕、４５………位相変化出力部、４６………乗算器、４８………ローパスフィルタ。
【図１】
2009186285.tif 000004
【図２】
2009186285.tif 000005
【図３】
2009186285.tif 000006
【図４】
2009186285.tif 000007
【図５】
2009186285.tif 000008
【図６】
2009186285.tif 000009
【図７】
2009186285.tif 000010
【図８】
2009186285.tif 000011